(57)【特許請求の範囲】
【請求項１】
情報の伝送方法であって、
ユーザー装置は、新しいエアインタフェース物理ダウンリンク制御チャネル（ＮＲ−ＰＤＣＣＨ）を監視して、前記ＮＲ−ＰＤＣＣＨで伝送された第１情報を得るステップであって、前記第１情報が、前記ユーザー装置が前記ＮＲ−ＰＤＣＣＨが前記ユーザー装置へのものであるかどうかを判断するために用いられるステップと、
前記ＮＲ−ＰＤＣＣＨが前記ユーザー装置へのものである場合、前記ユーザー装置は、新しいエアインタフェース物理ダウンリンク共有チャネル（ＮＲ−ＰＤＳＣＨ）を監視して、前記ＮＲ−ＰＤＳＣＨで伝送された第２情報を得るステップであって、前記第２情報が、ユーザー装置の第１部分の識別情報を含むステップとを含み、
前記第１情報はユーザー装置の第２部分の識別情報を含み、前記第１情報に含まれる前記ユーザー装置の第２部分の識別情報が、前記ユーザー装置が前記ＮＲ−ＰＤＣＣＨが前記ユーザー装置へのものであるかどうかを判断するために用いられ、
前記第２情報に含まれる前記ユーザー装置の第１部分の識別情報と前記第１情報に含まれる前記ユーザー装置の第２部分の識別情報が同一のユーザー装置に属する場合、前記第２情報に含まれる前記ユーザー装置の第１部分の識別情報と前記第１情報に含まれる前記ユーザー装置の第２部分の識別情報との組み合わせは完全なユーザー装置の識別情報であることを特徴とする情報の伝送方法。
【請求項２】
前記ユーザー装置の識別情報は第１部分の識別情報及び第２部分の識別情報を含み、各ユーザー装置の第２部分の識別情報は１つのＰ−ＲＮＴＩに対応し、前記第１情報に含まれる前記ユーザー装置の第２部分の識別情報の対応するＰ−ＲＮＴＩ及び前記第１情報は、前記ユーザー装置が前記ＮＲ−ＰＤＣＣＨが前記ユーザー装置へのものであるかどうかを判断するために用いられることを特徴とする請求項１に記載の方法。
【請求項３】
前記第２情報に含まれる前記ユーザー装置の第１部分の識別情報が占めるビット数は、前記第１情報に含まれる前記ユーザー装置の第２部分の識別情報が占めるビット数よりも少ないことを特徴とする請求項２に記載の方法。
【請求項４】
前記第２情報に含まれる前記ユーザー装置の第１部分の識別情報は、前記ユーザー装置が前記ＮＲ−ＰＤＳＣＨが前記ユーザー装置へのものであるかどうかを判断するために用いられることを特徴とする請求項１−３のいずれか１項に記載の方法。
【請求項５】
前記第２情報が、前記ＮＲ−ＰＤＳＣＨで伝送されるＲＲＣシグナリングに搬送されることを特徴とする請求項１−４のいずれか１項に記載の方法。
【請求項６】
情報の伝送方法であって、
ネットワーク装置は、第１情報を新しいエアインタフェース物理ダウンリンク制御チャネル（ＮＲ−ＰＤＣＣＨ）で伝送するステップであって、前記第１情報が、ユーザー装置が前記ＮＲ−ＰＤＣＣＨが前記ユーザー装置へのものであるかどうかを判断するために用いられるステップと、
前記ネットワーク装置は、ユーザー装置の第１部分の識別情報を含む第２情報を、新しいエアインタフェース物理ダウンリンク共有チャネル（ＮＲ−ＰＤＳＣＨ）で伝送するステップとを含み、
前記第１情報はユーザー装置の第２部分の識別情報を含み、前記第１情報に含まれる前記ユーザー装置の第２部分の識別情報が、前記ユーザー装置が前記ＮＲ−ＰＤＣＣＨが前記ユーザー装置へのものであるかどうかを判断するために用いられ、
前記第２情報に含まれる前記ユーザー装置の第１部分の識別情報と前記第１情報に含まれる前記ユーザー装置の第２部分の識別情報が同一のユーザー装置に属する場合、前記第２情報に含まれる前記ユーザー装置の第１部分の識別情報と前記第１情報に含まれる前記ユーザー装置の第２部分の識別情報との組み合わせは完全なユーザー装置の識別情報であることを特徴とする情報の伝送方法。
【請求項７】
前記ユーザー装置の識別情報は第１部分の識別情報及び第２部分の識別情報を含み、前記第１情報に含まれるユーザー装置の第２部分の識別情報は１つのＰ−ＲＮＴＩに対応し、前記ユーザー装置の第２部分の識別情報の対応するＰ−ＲＮＴＩ及び前記第１情報は、前記ユーザー装置が前記ＮＲ−ＰＤＣＣＨが前記ユーザー装置へのものであるかどうかを判断するために用いられることを特徴とする請求項６に記載の方法。
【請求項８】
前記第２情報に含まれる前記ユーザー装置の第１部分の識別情報が占めるビット数は、前記第１情報に含まれる前記ユーザー装置の第２部分の識別情報が占めるビット数よりも少ないことを特徴とする請求項７に記載の方法。
【請求項９】
前記第２情報に含まれる前記ユーザー装置の第１部分の識別情報は、前記ユーザー装置が前記ＮＲ−ＰＤＳＣＨが前記ユーザー装置へのものであるかどうかを判断するために用いられることを特徴とする請求項６−８のいずれか１項に記載の方法。
【請求項１０】
ユーザー装置であって、処理ユニット及び通信ユニットを備え、
前記処理ユニットは、前記通信ユニットによって新しいエアインタフェース物理ダウンリンク制御チャネル（ＮＲ−ＰＤＣＣＨ）を監視して、前記ＮＲ−ＰＤＣＣＨで伝送された第１情報を得るように構成され、前記第１情報が、前記ユーザー装置が前記ＮＲ−ＰＤＣＣＨが前記ユーザー装置へのものであるかどうかを判断することに用いられ、
前記処理ユニットは、前記ＮＲ−ＰＤＣＣＨが前記ユーザー装置へのものである場合、前記通信ユニットによって新しいエアインタフェース物理ダウンリンク共有チャネル（ＮＲ−ＰＤＳＣＨ）を監視して、前記ＮＲ−ＰＤＳＣＨで伝送された第２情報を得るようにさらに構成され、前記第２情報がユーザー装置の第１部分の識別情報を含み、
前記第１情報はユーザー装置の第２部分の識別情報を含み、前記第１情報に含まれる前記ユーザー装置の第２部分の識別情報が、前記ユーザー装置が前記ＮＲ−ＰＤＣＣＨが前記ユーザー装置へのものであるかどうかを判断するために用いられ、
前記第２情報に含まれる前記ユーザー装置の第１部分の識別情報と前記第１情報に含まれる前記ユーザー装置の第２部分の識別情報が同一のユーザー装置に属する場合、前記第２情報に含まれる前記ユーザー装置の第１部分の識別情報と前記第１情報に含まれる前記ユーザー装置の第２部分の識別情報との組み合わせは完全なユーザー装置の識別情報であることを特徴とするユーザー装置。
【請求項１１】
ネットワーク装置であって、処理ユニット及び通信ユニットを備え、
前記処理ユニットは、第１情報を通信ユニットによって新しいエアインタフェース物理ダウンリンク制御チャネル（ＮＲ−ＰＤＣＣＨ）で伝送するように構成され、前記第１情報が、ユーザー装置が前記ＮＲ−ＰＤＣＣＨが前記ユーザー装置へのものであるかどうかを判断するために用いられ、
前記処理ユニットは、ユーザー装置の第１部分の識別情報を含む第２情報を、通信ユニットによって新しいエアインタフェース物理ダウンリンク共有チャネル（ＮＲ−ＰＤＳＣＨ）で伝送するようにさらに構成され、
前記第１情報はユーザー装置の第２部分の識別情報を含み、前記第１情報に含まれる前記ユーザー装置の第２部分の識別情報が、前記ユーザー装置が前記ＮＲ−ＰＤＣＣＨが前記ユーザー装置へのものであるかどうかを判断するために用いられ、
前記第２情報に含まれる前記ユーザー装置の第１部分の識別情報と前記第１情報に含まれる前記ユーザー装置の第２部分の識別情報が同一のユーザー装置に属する場合、前記第２情報に含まれる前記ユーザー装置の第１部分の識別情報と前記第１情報に含まれる前記ユーザー装置の第２部分の識別情報との組み合わせは完全なユーザー装置の識別情報であることを特徴とするネットワーク装置。
【発明の詳細な説明】
【技術分野】
【０００１】
本願は通信技術分野に関する、特に情報の伝送方法及び関連製品に関する。
【背景技術】
【０００２】
１つの間欠受信（ＤＲＸ：Ｄｉｓｃｏｎｔｉｎｕｏｕｓ  Ｒｅｃｅｐｔｉｏｎ）の周期内に、ユーザー装置（ＵＥ：Ｕｓｅｒ  Ｅｑｕｉｐｍｅｎｔ）は、対応するページングフレーム（ＰＦ：Ｐａｇｉｎｇ  Ｆｒａｍｅ）上のページング時刻（ＰＯ：Ｐａｇｉｎｇ  Ｏｃｃａｓｉｏｎ）のみに、先に物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）でページング無線ネットワーク一時的識別子（Ｐ−ＲＮＴＩ：Ｐａｇｉｎｇ  Ｒａｄｉｏ  Ｎｅｔｗｏｒｋ  Ｔｅｍｐｏｒｙ  Ｉｄｅｎｔｉｔｙ）が搬送されるかどうかを監視することができ、従来、Ｐ−ＲＮＴＩは固定値ＦＦＦＥを使用し、ＰＤＣＣＨにＰ−ＲＮＴＩが搬送されている場合、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）にページングメッセージ（Ｐａｇｉｎｇ）が搬送されていることを表す。ＰＤＳＣＨにページングメッセージが搬送されている場合、ＵＥは、ＰＤＣＣＨに示されるＰＤＳＣＨのパラメータに応じてＰＤＳＣＨ上のページングメッセージを受信する。ＰＤＳＣＨに搬送されるページングメッセージがＵＥの識別情報を含み、該ＵＥのページングメッセージが、ＵＥがＰＤＳＣＨに搬送されるページングメッセージに自身のページングメッセージが含まれるかどうかを確定するために用いられる。ＵＥがＰＤＣＣＨにＰ−ＲＮＴＩが解析できていない場合、ＵＥがＰＤＳＣＨを受信する必要がなくなり、この場合、ＵＥはＤＲＸ周期に従ってスリープに入ることができる。このようなメカニズムを利用して、１つのＤＲＸ周期内に、ＵＥは、ＰＯが現れる時間位置のみでＰＤＣＣＨを受信し、そして必要に応じてＰＤＳＣＨを受信し、他の時間でスリープすることができ、それにより、省電力の目的を達成する。
【０００３】
新しいエアインタフェース（ＮＲ：Ｎｅｗ  Ｒａｔｉｏ）において、ページングメッセージを送信するためにｂｅａｍ（ビーム）を使用する必要がある。各ページングメッセージに対して、異なる位置のＵＥに配信するために異なる方向のｂｅａｍに繰り返して送信する必要があり、従って、同じ大きさのページングメッセージを複数回繰り返して送信しなければならず、シグナリングのオーバーヘッドが大きい。
【発明の概要】
【０００４】
本願の実施例は、シグナリングのオーバーヘッドを低減させる情報の伝送方法及び関連製品を提供する。
【０００５】
第１態様では、本願の実施例は情報の伝送方法を提供し、
ユーザー装置は物理ダウンリンク制御チャネル（ＮＲ−ＰＤＣＣＨ）を監視して、前記ＮＲ−ＰＤＣＣＨで伝送された第１情報を得るステップであって、前記第１情報が、前記ユーザー装置が前記ＮＲ−ＰＤＣＣＨが前記ユーザー装置へのものであるかどうかを判断するために用いられるステップと、
前記ＮＲ−ＰＤＣＣＨが前記ユーザー装置へのものである場合、前記ユーザー装置は物理ダウンリンク共有チャネル（ＮＲ−ＰＤＳＣＨ）を監視して、前記ＮＲ−ＰＤＳＣＨで伝送された第２情報を得るステップであって、前記第２情報が、ユーザー装置の第１部分の識別情報を含むステップとを含む。
【０００６】
第２態様では、本願の実施例は情報の伝送方法を提供し、
ネットワーク装置は、ユーザー装置が前記ＮＲ−ＰＤＣＣＨが前記ユーザー装置へのものであるかどうかを判断する第１情報を、物理ダウンリンク制御チャネル（ＮＲ−ＰＤＣＣＨ）で伝送するステップと、
前記ネットワーク装置は、ユーザー装置の第１部分の識別情報を含む第２情報を、物理ダウンリンク共有チャネル（ＮＲ−ＰＤＳＣＨ）で伝送するステップとを含む。
【０００７】
第３態様では、本発明の実施例は、処理ユニット及び通信ユニットを備えるユーザー装置を提供し、
前記処理ユニットは、前記通信ユニットによって物理ダウンリンク制御チャネル（ＮＲ−ＰＤＣＣＨ）を監視して、前記ＮＲ−ＰＤＣＣＨで伝送された第１情報を得るように構成され、前記第１情報が、前記ユーザー装置が前記ＮＲ−ＰＤＣＣＨが前記ユーザー装置へのものであるかどうかを判断することに用いられ、
前記処理ユニットは、前記ＮＲ−ＰＤＣＣＨが前記ユーザー装置へのものである場合、前記通信ユニットによって物理ダウンリンク共有チャネル（ＮＲ−ＰＤＳＣＨ）を監視して、前記ＮＲ−ＰＤＳＣＨで伝送された第２情報を得るようにさらに構成され、前記第２情報がユーザー装置の第１部分の識別情報を含む。
【０００８】
第４態様では、本発明の実施例は、処理ユニット及び通信ユニットを備えるネットワーク装置を提供し、
前記処理ユニットは、ユーザー装置が前記ＮＲ−ＰＤＣＣＨが前記ユーザー装置へのものであるかどうかを判断する第１情報を、通信ユニットによって物理ダウンリンク制御チャネル（ＮＲ−ＰＤＣＣＨ）で伝送するように構成され、
前記処理ユニットは、ユーザー装置の第１部分の識別情報を含む第２情報を、通信ユニットによって物理ダウンリンク共有チャネル（ＮＲ−ＰＤＳＣＨ）で伝送するようにさらに構成される。
【０００９】
第５態様では、本発明の実施例は、１つ又は複数のプロセッサ、１つ又は複数のメモリ、１つ又は複数の送受信機、及び１つ又は複数のプログラムを備えるユーザー装置を提供し、
前記１つ又は複数のプログラムが前記メモリに記憶され、且つ前記１つ又は複数のプロセッサによって実行されるように構成され、
前記プログラムは第１態様に記載の方法におけるステップを実行する命令を含む。
【００１０】
第６態様では、本発明の実施例は、１つ又は複数のプロセッサ、１つ又は複数のメモリ、１つ又は複数の送受信機、及び１つ又は複数のプログラムを備えるネットワーク装置を提供し、
前記１つ又は複数のプログラムが前記メモリに記憶され、且つ前記１つ又は複数のプロセッサによって実行されるように構成され、
前記プログラムは第２態様に記載の方法におけるステップを実行する命令を含む。
【００１１】
第７態様では、本発明の実施例は、コンピュータに第１態様に記載の方法を実行させる電子データ交換用のコンピュータプログラムを記憶するコンピュータ可読記憶媒体を提供する。
【００１２】
第８態様では、本発明の実施例は、コンピュータに第２態様に記載の方法を実行させる電子データ交換用のコンピュータプログラムを記憶するコンピュータ可読記憶媒体を提供する。
【００１３】
第９態様では、本発明の実施例は、コンピュータプログラムが記憶される非一時的なコンピュータ可読記憶媒体を備え、前記コンピュータプログラムが、コンピュータに第１態様に記載の方法を実行させるように動作することができるコンピュータプログラム製品を提供する。
【００１４】
第１０態様では、本発明の実施例は、コンピュータプログラムが記憶される非一時的なコンピュータ可読記憶媒体を備え、前記コンピュータプログラムが、コンピュータに第２態様に記載の方法を実行させるように動作することができるコンピュータプログラム製品を提供する。
【００１５】
それで分かるように、本技術案では、ネットワーク装置はＰＤＳＣＨでユーザー装置の一部の識別情報のみを送信し、ＰＤＳＣＨで完全なユーザー装置の識別情報を送信する従来技術に比べて、本技術案は、ＮＲ−ＰＤＳＣＨの搬送する必要があるｂｉｔ数を減少させることができ、さらにシグナリングのオーバーヘッドを低減させる。また、ネットワーク装置がＰＤＣＣＨで伝送された第１情報は、このＰＤＣＣＨが自身へのものであるかどうかをユーザー装置が判断するために用いられ、このＰＤＣＣＨが自身へのものであるかどうかを示さない従来技術に比べて、本技術案は、ユーザー装置に自身へのものではないＰＤＳＣＨを伝送させないことができ、情報伝送の特性をさらに向上させる。
【００１６】
本願のこれらの態様又は他の態様は、以下の実施例の説明により明瞭になる。
【図面の簡単な説明】
【００１７】
本願の実施例又は従来技術における技術案をより明瞭に説明するために、以下、実施例又は従来技術の説明に必要な図面について簡単に説明するが、明らかなように、以下の説明における図面は、本願に係る実施例の一部に過ぎず、当業者であれば、創造的な努力を必要とせずに、これら図面に基づいてほかの図面を想到しうる。
【図１】本発明の実施例に係るネットワークアーキテクチャの概略図である。
【図２】本発明の実施例に係る情報の伝送方法のフローチャート概略図である。
【図３】本発明の実施例に係るユーザー装置の構造概略図である。
【図４】本発明の実施例に係るネットワーク装置の構造概略図である。
【図５】本発明の実施例に係る別のユーザー装置の構造概略図である。
【図６】本発明の実施例に係る別のネットワーク装置の構造概略図である。
【図７】本発明の実施例に係る別のユーザー装置の構造概略図である。
【発明を実施するための形態】
【００１８】
当業者が本願の技術手段をより良好に理解するために、以下、本願の実施例における図面を参照しながら、本願の実施例における技術案を明瞭で完全に説明し、勿論、説明される実施例は本願の実施例の一部に過ぎず、全ての実施例ではない。当業者が本願における実施例に基づいて創造的な努力を必要とせずに想到し得る他の実施例は、全て本願の保護範囲に属する。
【００１９】
以下、それぞれ詳細に説明する。
【００２０】
本願の明細書及び特許請求の範囲及び前記図面にける用語「第１」、「第２」、「第３」及び「第４」等は異なる対象を区別するために用いられ、特定の順序を説明するために使用されない。また、用語「含む」及び「有する」及びそれらの任意の変形は、非排他的な包含物をカバーすることを意図し、たとえば、一連のステップ又はユニットを含む過程、方法、システム、製品又は装置は示されるステップ又はユニットに限定されず、示されていないステップ又はユニット、又はこれらの過程、方法、製品又は装置に固有の他のステップ又はユニットを含んでもよい。
【００２１】
本明細書に記載の「実施例」は、実施例と組み合わせて説明した特定の特徴、構造又は特性が本願の少なくとも１つの実施例に含まれることを意味する。明細書の異なる位置での該フレーズの出現は、必ずしも同じ実施例を指しているわけではなく、他の実施例と相互に排他的な独立又は代替的な実施例でもない。当業者は、本明細書に説明した実施例が他の実施例と組み合わせることができることを明示的および暗黙的に理解する。
【００２２】
下面、図面を参照しながら本願の実施例を説明する。
【００２３】
図１に示すように、図１は本願の実施例に開示されているネットワークアーキテクチャの概略図である。図１に示されるネットワークアーキテクチャは、ユーザー装置１１０及びネットワーク装置１２０を備える。現在、ネットワーク装置１２０はＰＤＣＣＨで１つの情報を送信して、この情報でＰ−ＲＮＴＩが搬送されると、ＰＤＳＣＨでページングメッセージが搬送されることを表し、このＰ−ＲＮＴＩが固定値である。ネットワーク装置１２０は、次にＰＤＳＣＨでページングメッセージを送信し、ページングメッセージは完全なユーザー装置の識別情報を搬送し、該ユーザー装置の識別情報は、ＰＤＳＣＨで搬送されるページングメッセージがどの装置に属するかを判断するために用いられる。次にユーザー装置１１０がＰＤＣＣＨを監視してＰ−ＲＮＴＩが搬送されることを発見すると、ＰＤＳＣＨにおいてユーザー装置１１０用のページングメッセージがあるかどうかに関わらず、ユーザー装置１１０はＰＤＳＣＨを監視する。ＮＲにおいて、ページングメッセージを送信するためにｂｅａｍを使用する必要があるので、各ページングメッセージを異なるｂｅａｍ方向で繰り返して送信する必要があり、従って、大きさが同じのページングメッセージを複数回繰り返して送信しなければならず、シグナリングのオーバーヘッドが大きい。
【００２４】
上記問題を解決するために、本技術案では、ネットワーク装置１２０は、第１情報をＮＲ−ＰＤＣＣＨで送信し、前記第１情報が、前記ユーザー装置が前記ＮＲ−ＰＤＣＣＨが前記ユーザー装置へのものであるかどうかを判断するために用いられ、ユーザー装置の第１部分の識別情報を含む第２情報をＮＲ−ＰＤＳＣＨで送信する。次に、ユーザー装置１１０は、ＮＲ−ＰＤＣＣＨを監視して第１情報を得て、ＮＲ−ＰＤＣＣＨがユーザー装置１１０用である場合、ＮＲ−ＰＤＳＣＨを監視して第２情報を得る。
【００２５】
それで分かるように、本技術案では、ネットワーク装置はＮＲ−ＰＤＳＣＨでユーザー装置の一部の識別情報のみを送信し、ＮＲ−ＰＤＳＣＨで完全なユーザー装置の識別情報を送信する従来技術に比べて、本技術案は、ＮＲ−ＰＤＳＣＨの搬送する必要があるｂｉｔ数を減少させることができ、さらにシグナリングのオーバーヘッドを低減させる。また、ネットワーク装置がＮＲ−ＰＤＣＣＨで伝送した第１情報は、ユーザー装置がこのＮＲ−ＰＤＣＣＨが自身へのものであるかどうかを判断するために用いられ、このＰＤＣＣＨが自身へのものであるかどうかを示さない従来技術に比べて、本技術案は、ユーザー装置に自身へのものではないＮＲ−ＰＤＳＣＨを伝送させないことができ、情報伝送の特性をさらに向上させる。
【００２６】
ユーザー装置（ＵＥ：Ｕｓｅｒ  Ｅｑｕｉｐｍｅｎｔ）は、無線接続機能を有する手持ち装置、車載装置等のユーザーに音声及び／又はデータ接続を提供する装置である。一般的なユーザー装置は、たとえば、携帯電話、タブレットＰＣ、ノートパソコン、パームトップパソコン、モバイルインターネットデバイス（ＭＩＤ：ｍｏｂｉｌｅ  ｉｎｔｅｒｎｅｔ  ｄｅｖｉｃｅ）、及び、スマートウォッチ、スマートブレスレット、歩数計等のウェアラブルデバイスを含む。
【００２７】
ネットワーク装置は、ネットワーク側のノード装置であり、たとえば、ネットワーク装置はセルラーネットワークのアクセスネットワーク側の無線アクセスネットワーク（ＲＡＮ：Ｒａｄｉｏ  Ａｃｃｅｓｓ  Ｎｅｔｗｏｒｋ）装置であってもよく、いわゆるＲＡＮ装置は、ユーザー装置を無線ネットワークにアクセスする装置であり、進化型ノードＢ（ｅＮＢ：ｅｖｏｌｖｅｄ  Ｎｏｄｅ  Ｂ）、無線ネットワーク制御装置（ＲＮＣ：ｒａｄｉｏ  ｎｅｔｗｏｒｋ  ｃｏｎｔｒｏｌｌｅｒ）、ノードＢ（ＮＢ：Ｎｏｄｅ  Ｂ）、基地局制御装置（ＢＳＣ：Ｂａｓｅ  Ｓｔａｔｉｏｎ  Ｃｏｎｔｒｏｌｌｅｒ）、基地送受信局（ＢＴＳ：Ｂａｓｅ  Ｔｒａｎｓｃｅｉｖｅｒ  Ｓｔａｔｉｏｎ）、ホーム基地局（たとえば、ＨＮＢ：Ｈｏｍｅ  ｅｖｏｌｖｅｄ  ＮｏｄｅＢ、又はＨｏｍｅ  Ｎｏｄｅ  Ｂ）、ベースバンドユニット（ＢＢＵ：ＢａｓｅＢａｎｄ  Ｕｎｉｔ）、モビリティ管理エンティティ（ＭＭＥ：Ｍｏｂｉｌｉｔｙ  Ｍａｎａｇｅｍｅｎｔ  Ｅｎｔｉｔｙ）を含むがこれに限定されない。また、ネットワーク装置は、アクセス制御装置（ＡＣ：ａｃｃｅｓｓ  ｃｏｎｔｒｏｌｌｅｒ）、ゲートウェイ、又はＷＩＦＩアクセスポイント（ＡＰ：Ａｃｃｅｓｓ  Ｐｏｉｎｔ）などの無線ＬＡＮ（ＷＬＡＮ：Ｗｉｒｅｌｅｓｓ  Ｌｏｃａｌ  Ａｒｅａ  Ｎｅｔｗｏｒｋ）におけるノード装置とすることができる。
【００２８】
以下、図１に示されるネットワークアーキテクチャを組み合わせて本願の実施例に係る情報の伝送方法を詳細に説明する。
【００２９】
図２に示すように、図２は本願の実施例に係る情報の伝送方法のプロセス概略図であり、以下のステップを含む。
【００３０】
Ｓ２０１において、ネットワーク装置は、ユーザー装置が前記ＮＲ−ＰＤＣＣＨが前記ユーザー装置へのものであるかどうかを判断する第１情報を物理ダウンリンク制御チャネル（ＮＲ−ＰＤＣＣＨ）で伝送する。
【００３１】
Ｓ２０２において、前記ネットワーク装置は、ユーザー装置の第１部分の識別情報を含む第２情報を、物理ダウンリンク共有チャネル（ＮＲ−ＰＤＳＣＨ）で伝送する。
【００３２】
Ｓ２０３において、ユーザー装置は前記ＮＲ−ＰＤＣＣＨを監視して、前記ＮＲ−ＰＤＣＣＨで伝送された第１情報を得る。
【００３３】
Ｓ２０４において、前記ＮＲ−ＰＤＣＣＨが前記ユーザー装置へのものである場合、前記ユーザー装置はＮＲ−ＰＤＳＣＨを監視して、前記ＮＲ−ＰＤＳＣＨで伝送された第２情報を得る。
【００３４】
一例では、前記第１情報は、ユーザー装置の第２部分の識別情報を含み、前記第１情報に含まれる前記ユーザー装置の第２部分の識別情報が、前記ユーザー装置が前記ＮＲ−ＰＤＣＣＨが前記ユーザー装置へのものであるかどうかを判断するために用いられる。
【００３５】
具体的には、前記ユーザー装置の識別情報は第１部分の識別情報及び第２部分の識別情報を含み、前記ユーザー装置の第２部分の識別情報が前記第１情報に含まれるユーザー装置の第２部分の識別情報にマッチングする場合、前記ユーザー装置は前記ＮＲ−ＰＤＣＣＨが前記ユーザー装置へのものであると判断し、前記ユーザー装置の第２部分の識別情が前記第１情報に含まれるユーザー装置の第２部分の識別情報にマッチングしない場合、前記ユーザー装置は前記ＮＲ−ＰＤＣＣＨが前記ユーザー装置へのものではないと判断する。
【００３６】
なお、ＮＲ−ＰＤＳＣＨで伝送された前記ユーザー装置の第１部分の識別情報が前記ユーザー装置の第１部分の識別情報の長さと同じであり、且つＮＲ−ＰＤＳＣＨで伝送された前記ユーザー装置の第１部分の識別情報が前記ユーザー装置の第１部分の識別情報とその完全な識別情報での位置は同じである。たとえば、Ｓ−ＴＭＳＩを例として、Ｓ−ＴＭＳＩは長さが４０ｂｉｔの二進数であり、ＮＲ−ＰＤＳＣＨで伝送された前記ユーザー装置の第１部分の識別情報がユーザー装置１の第１部分の識別情報であり、ユーザー装置１の完全な識別情報がＳ−ＴＭＳＩ−１であり、前記ユーザー装置の完全な識別情報がＳ−ＴＭＳＩ−２であると仮定する。ユーザー装置１の第１部分の識別情報がＳ−ＴＭＳＩ−１の最後の２０ｂｉｔの識別情報である場合、前記ユーザー装置の第１部分の識別情報はＳ−ＴＭＳＩ−２の最後の２０ｂｉｔの識別情報である。同様、ＮＲ−ＰＤＳＣＨで伝送された前記ユーザー装置の第２部分の識別情報が前記ユーザー装置の第２部分の識別情報の長さと同じであり、且つＮＲ−ＰＤＳＣＨで伝送された前記ユーザー装置の第２部分の識別情報が前記ユーザー装置の第２部分の識別情報とその完全な識別情報での位置は同じである。
【００３７】
例を挙げて、Ｓ−ＴＭＳＩを例として、前記ユーザー装置の完全な識別情報がＳ−ＴＭＳＩ−２であり、Ｓ−ＴＭＳＩ−２に含まれる第１部分の識別情報がＳ−ＴＭＳＩ−２の最後の２０ｂｉｔの識別情報であり、たとえばＡとし、Ｓ−ＴＭＳＩ−２に含まれる第２部分の識別情報がＳ−ＴＭＳＩ−２の最初の２０ｂｉｔの識別情報であり、たとえばＢとすると仮定する。前記第１情報に含まれるユーザー装置の第２部分の識別情報が特定のユーザー装置の完全な識別情報の最初の２０ｂｉｔの識別情報であり、たとえばＢもとする場合、現在のＮＲ−ＰＤＣＣＨが前記ユーザー装置へのものであることを表す。また、前記第１情報に含まれるユーザー装置の第２部分の識別情報が特定のユーザー装置の完全な識別情報の最初の２０ｂｉｔの識別情報であり、たとえばＢと異なるＣとする場合、現在のＮＲ−ＰＤＣＣＨが前記ユーザー装置へのものではないことを表す。
【００３８】
それで分かるように、ネットワーク装置はＰＤＣＣＨでユーザー装置の第２部分の識別情報を直接送信し、ユーザー装置は直接的に自分の第２部分の識別情報を使用してＰＤＣＣＨで送信されたユーザー装置の第２部分の識別情報に比べ、このようにして、該ＰＤＣＣＨがユーザー装置自身へのものであるかどうかを正確に判断することができる。
【００３９】
一例では、前記ユーザー装置の識別情報は第１部分の識別情報及び第２部分の識別情報を含み、第１情報に含まれるユーザー装置の第２部分の識別情報は１つのＰ−ＲＮＴＩに対応し、前記ユーザー装置の第２部分の識別情報の対応するＰ−ＲＮＴＩ及び前記第１情報は、前記ユーザー装置が前記ＮＲ−ＰＤＣＣＨが前記ユーザー装置へのものであるかどうかを判断するために用いられる。
【００４０】
具体的には、ユーザー装置の第２部分の識別情報の対応するＰ−ＲＮＴＩが前記第１情報の対応するＰ−ＲＮＴＩにマッチングする場合、前記ユーザー装置は前記ＮＲ−ＰＤＣＣＨが前記ユーザー装置へのものであると判断し、ユーザー装置の第２部分の識別情報の対応するＰ−ＲＮＴＩが前記第１情報の対応するＰ−ＲＮＴＩにマッチングしない場合、前記ユーザー装置は前記ＮＲ−ＰＤＣＣＨが前記ユーザー装置へのものではないと判断する。
【００４１】
例を挙げて、Ｓ−ＴＭＳＩを例として、前記ユーザー装置の完全な識別情報がＳ−ＴＭＳＩ−２であり、Ｓ−ＴＭＳＩ−２に含まれる第２部分の識別情報がＳ−ＴＭＳＩ−２の最初の２０ｂｉｔの識別情報であり、Ｓ−ＴＭＳＩ−２の最初の２０ｂｉｔの識別情報の対応するＰ−ＲＮＴＩがＰ−ＲＮＴＩ−２であると仮定し、第１情報の対応するＰ−ＲＮＴＩもＰ−ＲＮＴＩ−２である（つまり、前記ユーザー装置は前記Ｐ−ＲＮＴＩ−２を用いて前記第１情報のロックを解除できる）場合、現在のＮＲ−ＰＤＣＣＨが前記ユーザー装置へのものであることを表す。また、第１情報の対応するＰ−ＲＮＴＩがＰ−ＲＮＴＩ−２と異なるＰ−ＲＮＴＩ−３である（つまり、前記ユーザー装置は前記Ｐ−ＲＮＴＩ−２を用いて前記第１情報のロックを解除できない）場合、現在のＮＲ−ＰＤＣＣＨが前記ユーザー装置へのものではないことを表す。
【００４２】
それで分かるように、ネットワーク装置とユーザー装置は、ユーザー装置の第２部分の識別情報とＰ−ＲＮＴＩとのマッピング関係を予め設定し、ネットワーク装置は第１情報を送信するときに、ユーザー装置の第２部分の識別情報をユーザー装置に送信する必要がなく、それにより、ＰＤＣＣＨの搬送する必要があるｂｉｔ数を減少させて、さらにシグナリングのオーバーヘッドを低減させる。
【００４３】
さらに、任意の２つのユーザー装置の第２部分の識別情報の対応するＰ−ＲＮＴＩが異なり、たとえば、ユーザー装置ｉの第２部分の識別情報がＰ−ＲＮＴＩ−１に対応し、ユーザー装置ｊの第２部分の識別情報がＰ−ＲＮＴＩ−２に対応し、Ｐ−ＲＮＴＩ−１がＰ−ＲＮＴＩ−２と異なり、ユーザー装置ｉとユーザー装置ｊは任意の２つのユーザー装置である。又は、少なくとも２つのユーザー装置の第２部分の識別情報が同一のＰ−ＲＮＴＩに対応する。たとえば、ユーザー装置１の第２部分の識別情報がＰ−ＲＮＴＩ−１に対応し、ユーザー装置２の第２部分の識別情報もＰ−ＲＮＴＩ−１に対応する等である。
【００４４】
さらに、ユーザー装置ｉの第２部分の識別情報の対応するＰ−ＲＮＴＩ−ｉは前記ユーザー装置ｉの第２部分の識別情報のうちの一部の識別情報であり、前記ユーザー装置ｉは任意の１つのユーザー装置である。たとえば、Ｓ−ＴＭＳＩを例として、ユーザー装置ｉの完全な識別情報がＳ−ＴＭＳＩ−ｉであり、ユーザー装置ｉの第２部分の識別情報がＳ−ＴＭＳＩ−ｉの最初の２０ｂｉｔの識別情報である場合、ユーザー装置ｉの第２部分の識別情報の対応するＰ−ＲＮＴＩ−ｉがこのＳ−ＴＭＳＩ−ｉの最初の２０ｂｉｔの識別情報のうちの最初のいくつかのｂｉｔ（たとえば、最初の６つのｂｉｔなど）の識別情報であってもよく、あるいは最後のいくつかのｂｉｔ（たとえば、最後の６つのｂｉｔなど）の識別情報であってもよく、さらに中間のいくつかのｂｉｔ（たとえば、中間の６つのｂｉｔなど）の識別情報であってもよい。本発明はこれを限定しない。
【００４５】
さらに、ユーザー装置ｉの第２部分の識別情報の対応するＰ−ＲＮＴＩ−ｉは前記ユーザー装置ｉの第２部分の識別情報のうちの一部の識別情報＋デフォルト値であり、前記ユーザー装置ｉは任意の１つのユーザー装置である。たとえば、Ｓ−ＴＭＳＩを例として、ユーザー装置ｉの完全な識別情報がＳ−ＴＭＳＩ−ｉであり、ユーザー装置ｉの第２部分の識別情報がＳ−ＴＭＳＩ−ｉの最初の２０ｂｉｔの識別情報である場合、ユーザー装置ｉの第２部分の識別情報の対応するＰ−ＲＮＴＩ−ｉはこのＳ−ＴＭＳＩ−ｉの最初の２０ｂｉｔの識別情報のうちの最初のいくつかのｂｉｔ（たとえば、最初の６つのｂｉｔなど）の識別情報＋デフォルト値（たとえば、１など）であってもよく、あるいは最後のいくつかのｂｉｔ（たとえば、最後の６つのｂｉｔなど）の識別情報＋デフォルト値（たとえば、１など）であってもよく、さらに中間のいくつかのｂｉｔ（たとえば、中間の６つのｂｉｔなど）の識別情報＋デフォルト値（たとえば、１など）であってもよい。本発明はこれを限定しない。
【００４６】
一例では、前記第２情報に含まれる前記ユーザー装置の第１部分の識別情報と、前記第１情報に含まれる前記ユーザー装置の第２部分の識別情報が同一のユーザー装置に属する場合、前記ユーザー装置の第１部分の識別情報と前記ユーザー装置の第２部分の識別情報との組み合わせは完全なユーザー装置の識別情報である。たとえば、Ｓ−ＴＭＳＩを例として、前記第２情報に含まれる前記ユーザー装置の第１部分の識別情報と、前記第１情報に含まれる前記ユーザー装置の第２部分の識別情報はいずれもユーザー装置１に属し、ユーザー装置１の完全な識別情報がＳ−ＴＭＳＩ−１であると仮定し、ユーザー装置１の第１部分の識別情報がＳ−ＴＭＳＩ−１の最後の２０ｂｉｔの識別情報であり、ユーザー装置１の第２部分の識別情報がＳ−ＴＭＳＩ−１の最初の２０ｂｉｔの識別情報であり、よって、ユーザー装置１の第１部分の識別情報＋前記ユーザー装置１の第２部分の識別情報＝Ｓ−ＴＭＳＩ−１である。
【００４７】
一例では、前記第２情報に含まれる前記ユーザー装置の第１部分の識別情報と、前記第１情報に含まれる前記ユーザー装置の第２部分の識別情報が同一のユーザー装置に属する場合、前記ユーザー装置の第１部分の識別情報と前記ユーザー装置の第２部分の識別情報との組み合わせは完全なユーザーの識別情報の一部である。たとえば、Ｓ−ＴＭＳＩを例として、前記第２情報に含まれる前記ユーザー装置の第１部分の識別情報と、前記第１情報に含まれる前記ユーザー装置の第２部分の識別情報はいずれもユーザー装置１に属し、ユーザー装置１の完全な識別情報がＳ−ＴＭＳＩ−１であると仮定し、ユーザー装置１の第１部分の識別情報がＳ−ＴＭＳＩ−１の最後の１５ｂｉｔの識別情報であり、ユーザー装置１の第２部分の識別情報がＳ−ＴＭＳＩ−１の最初の２０ｂｉｔの識別情報であり、よって、ユーザー装置１の第１部分の識別情報＋前記ユーザー装置１の第２部分の識別情報がＳ−ＴＭＳＩ−１と等しくない。
【００４８】
さらに、前記第２情報に含まれる前記ユーザー装置の第１部分の識別情報が占めるビット数は、前記第１情報に含まれる前記ユーザー装置の第２部分の識別情報が占めるビット数よりも少ない。つまり、ネットワーク装置がＰＤＳＣＨで送信したユーザー装置の識別情報のｂｉｔがより少なく、シグナリングのオーバーヘッドをさらに低減させる。
【００４９】
なお、本願に記載の前記第２情報に含まれるユーザー装置の第１部分の識別情報と本願に記載の前記第１情報に含まれるユーザー装置の第２部分の識別情報は同一のユーザー装置に属する識別情報であってもよく、たとえば、Ｓ−ＴＭＳＩを例として、本願に記載の前記第２情報に含まれるユーザー装置の第１部分の識別情報がユーザー装置１のＳ−ＴＭＳＩの最後の２０ｂｉｔの識別情報であり、本願に記載の前記第１情報に含まれるユーザー装置の第２部分の識別情報がユーザー装置１のＳ−ＴＭＳＩの最初の２０ｂｉｔの識別情報である。また、本願に記載のユーザー装置の第１部分の識別情報と本願に記載のユーザー装置の第２部分の識別情報は同一のユーザー装置に属する識別情報でなくてもよく、たとえば、Ｓ−ＴＭＳＩを例として、本願に記載の前記第２情報に含まれるユーザー装置の第１部分の識別情報がユーザー装置１のＳ−ＴＭＳＩの最後の２０ｂｉｔの識別情報であり、本願に記載の前記第１情報に含まれるユーザー装置の第２部分の識別情報がユーザー装置２のＳ−ＴＭＳＩの最初の２０ｂｉｔの識別情報である。
【００５０】
一例では、前記第２情報に含まれる前記ユーザーの第１部分の識別情報は、前記ユーザー装置が前記ＮＲ−ＰＤＳＣＨが前記ユーザー装置へのものであるかどうかを判断するために用いられる。
【００５１】
具体的には、前記ユーザー装置の第１部分の識別情報が前記第２情報に含まれる前記ユーザー装置の第１部分の識別情報にマッチングする場合、前記ユーザー装置は前記ＮＲ−ＰＤＳＣＨが前記ユーザー装置へのものであると判断し、前記ユーザー装置の第１部分の識別情報が前記第２情報に含まれる前記ユーザー装置の第１部分の識別情報にマッチングしない場合、前記ユーザー装置は前記ＮＲ−ＰＤＳＣＨが前記ユーザー装置へのものではないと判断する。
【００５２】
例を挙げて、Ｓ−ＴＭＳＩを例として、ＮＲ−ＰＤＳＣＨで伝送された前記ユーザー装置の第１部分の識別情報がユーザー装置１の第１部分の識別情報であり、ユーザー装置１の完全な識別情報がＳ−ＴＭＳＩ−１であり、前記ユーザー装置の完全な識別情報がＳ−ＴＭＳＩ−２であると仮定し、ユーザー装置１の第１部分の識別情報がＳ−ＴＭＳＩ−１の最後の２０ｂｉｔの識別情報であり、たとえばＡとし、ユーザー装置の第１部分の識別情報がＳ−ＴＭＳＩ−２の最後の２０ｂｉｔの識別情報であり、たとえば、Ａもとする場合、現在のＮＲ−ＰＤＳＣＨが前記ユーザー装置へのものであることを表す。また、ユーザー装置の第１部分の識別情報がＳ−ＴＭＳＩ−２の最後の２０ｂｉｔの識別情報であり、たとえば、Ａと異なるＣとする場合、現在のＮＲ−ＰＤＳＣＨが前記ユーザー装置へのものではないことを表す。
【００５３】
一例では、前記第２情報が、前記ＮＲ−ＰＤＳＣＨで伝送されるＲＲＣシグナリングに搬送される。
【００５４】
一例では、第１情報は、ネットワーク装置のＮＲ−ＰＤＣＣＨで伝送されたダウンリンク制御シグナリングとすることができる。たとえば、ＤＣＩである。
【００５５】
また、前記第１情報は、ＮＲ−ＰＤＳＣＨのパラメータを含む指示情報をさらに含み、前記ＮＲ−ＰＤＣＣＨが前記ユーザー装置へのものである場合、前記指示情報は、前記ユーザー装置が前記ＮＲ−ＰＤＳＣＨのパラメータに基づきＮＲ−ＰＤＳＣＨで伝送された第２情報を受信するように指示するために用いられる。
【００５６】
第２情報はページングメッセージとすることができ、又は、第２情報はページングメッセージを含む。
【００５７】
それで分かるように、本技術案では、ネットワーク装置はＮＲ−ＰＤＳＣＨでユーザー装置の一部の識別情報のみを送信し、ＮＲ−ＰＤＳＣＨで完全なユーザー装置の識別情報を送信する従来技術に比べて、本技術案は、ＮＲ−ＰＤＳＣＨの搬送する必要があるｂｉｔ数を減少させることができ、さらにシグナリングのオーバーヘッドを低減させる。また、ネットワーク装置がＮＲ−ＰＤＣＣＨで伝送した第１情報は、ユーザー装置がこのＮＲ−ＰＤＣＣＨが自身へのものであるかどうかを判断するために用いられ、このＮＲ−ＰＤＣＣＨが自身へのものであるかどうかを示さない従来技術に比べて、本技術案は、ユーザー装置に自身へのものではないＮＲ−ＰＤＳＣＨを伝送させないことができ、情報伝送の特性をさらに向上させる。
【００５８】
図３に示すように、図３は本発明の実施例に係るユーザー装置３００を示し、１つ又は複数のプロセッサ、１つ又は複数のメモリ、１つ又は複数の送受信機、及び１つ又は複数のプログラムを備える。
【００５９】
前記１つ又は複数のプログラムが前記メモリに記憶され、且つ前記１つ又は複数のプロセッサによって実行されるように構成され、
前記プログラムは以下のステップを実行するための命令を含む。
【００６０】
物理ダウンリンク制御チャネル（ＮＲ−ＰＤＣＣＨ）を監視して、前記ＮＲ−ＰＤＣＣＨで伝送された第１情報を得、前記第１情報が、前記ユーザー装置が前記ＮＲ−ＰＤＣＣＨが前記ユーザー装置へのものであるかどうかを判断するために用いられる。
【００６１】
前記ＮＲ−ＰＤＣＣＨが前記ユーザー装置へのものである場合、物理ダウンリンク共有チャネル（ＮＲ−ＰＤＳＣＨ）を監視して、前記ＮＲ−ＰＤＳＣＨで伝送された第２情報を得、前記第２情報が、ユーザー装置の第１部分の識別情報を含む。
【００６２】
一例では、前記第１情報は、ユーザー装置の第２部分の識別情報を含み、前記第１情報に含まれる前記ユーザーの第２部分の識別情報が、前記ユーザー装置が前記ＮＲ−ＰＤＣＣＨが前記ユーザー装置へのものであるかどうかを判断するために用いられる。
【００６３】
一例では、前記ユーザー装置の識別情報は第１部分の識別情報及び第２部分の識別情報を含み、前記第１情報に含まれるユーザー装置の第２部分の識別情報は１つのＰ−ＲＮＴＩに対応し、前記ユーザー装置の第２部分の識別情報の対応するＰ−ＲＮＴＩ及び前記第１情報は、前記ユーザー装置が前記ＮＲ−ＰＤＣＣＨが前記ユーザー装置へのものであるかどうかを判断するために用いられる。
【００６４】
一例では、前記第２情報に含まれる前記ユーザー装置の第１部分の識別情報と前記第１情報に含まれる前記ユーザー装置の第２部分の識別情報が同一のユーザー装置に属する場合、前記第２情報に含まれる前記ユーザー装置の第１部分の識別情報と、前記第１情報に含まれる前記ユーザー装置の第２部分の識別情報との組み合わせは完全なユーザー装置の識別情報であり、或いは、前記ユーザー装置の第１部分の識別情報と前記ユーザー装置の第２部分の識別情報との組み合わせは完全なユーザー装置の識別情報の一部である。
【００６５】
一例では、前記第２情報に含まれる前記ユーザー装置の第１部分の識別情報が占めるビット数は、前記第１情報に含まれる前記ユーザー装置の第２部分の識別情報が占めるビット数よりも少ない。
【００６６】
一例では、前記第２情報に含まれる前記ユーザー装置の第１部分の識別情報は、前記ユーザー装置が前記ＮＲ−ＰＤＳＣＨが前記ユーザー装置へのものであるかどうかを判断するために用いられる。
【００６７】
一例では、前記第２情報が、前記ＮＲ−ＰＤＳＣＨで伝送されるＲＲＣシグナリングに搬送される。
【００６８】
それで分かるように、本技術案では、ネットワーク装置はＮＲ−ＰＤＳＣＨでユーザー装置の一部の識別情報のみを送信し、ＮＲ−ＰＤＳＣＨで完全なユーザー装置の識別情報を送信する従来技術に比べて、本技術案は、ＮＲ−ＰＤＳＣＨの搬送する必要があるｂｉｔ数を減少させることができ、さらにシグナリングのオーバーヘッドを低減させる。また、ネットワーク装置がＮＲ−ＰＤＣＣＨで伝送した第１情報は、ユーザー装置がこのＮＲ−ＰＤＣＣＨが自身へのものであるかどうかを判断するために用いられ、このＮＲ−ＰＤＣＣＨが自身へのものであるかどうかを示さない従来技術に比べて、本技術案は、ユーザー装置に自身へのものではないＮＲ−ＰＤＳＣＨを伝送させないことができ、情報伝送の特性をさらに向上させる。
【００６９】
図４に示すように、図４は本発明の実施例に係るネットワーク装置４００を示し、１つ又は複数のプロセッサ、１つ又は複数のメモリ、１つ又は複数の送受信機、及び１つ又は複数のプログラムを備える。
【００７０】
前記１つ又は複数のプログラムが前記メモリに記憶され、且つ前記１つ又は複数のプロセッサによって実行されるように構成され、
前記プログラムは以下のステップを実行する命令を含む。
【００７１】
ユーザー装置が前記ＮＲ−ＰＤＣＣＨが前記ユーザー装置へのものであるかどうかを判断する第１情報を、物理ダウンリンク制御チャネル（ＮＲ−ＰＤＣＣＨ）で伝送する。
【００７２】
ユーザー装置の第１部分の識別情報を含む第２情報を、物理ダウンリンク共有チャネル（ＮＲ−ＰＤＳＣＨ）で伝送する。
【００７３】
一例では、前記第１情報は、ユーザーの第２部分の識別情報を含み、前記第１情報に含まれる前記ユーザーの第２部分の識別情報が、前記ユーザー装置が前記ＮＲ−ＰＤＣＣＨが前記ユーザー装置へのものであるかどうかを判断するために用いられる。
【００７４】
一例では、前記ユーザー装置の識別情報は第１部分の識別情報及び第２部分の識別情報を含み、前記第１情報に含まれるユーザー装置の第２部分の識別情報は１つのＰ−ＲＮＴＩに対応し、前記ユーザー装置の第２部分の識別情報の対応するＰ−ＲＮＴＩ及び前記第１情報は、前記ユーザー装置が前記ＮＲ−ＰＤＣＣＨが前記ユーザー装置へのものであるかどうかを判断するために用いられる。
【００７５】
一例では、前記第２情報に含まれる前記ユーザー装置の第１部分の識別情報と、前記第１情報に含まれる前記ユーザー装置の第２部分の識別情報が同一のユーザーに属する場合、前記第２情報に含まれる前記ユーザー装置の第１部分の識別情報と前記第１情報に含まれる前記ユーザー装置の第２部分の識別情報との組み合わせは完全なユーザー装置の識別情報であり、或いは、前記第２情報に含まれる前記ユーザー装置の第１部分の識別情報と前記第１情報に含まれる前記ユーザー装置の第２部分の識別情報との組み合わせは完全なユーザー装置の識別情報の一部である。
【００７６】
一例では、前記第２情報に含まれる前記ユーザー装置の第１部分の識別情報が占めるビット数は、前記第１情報に含まれる前記ユーザー装置の第２部分の識別情報が占めるビット数よりも少ない。
【００７７】
一例では、前記第２情報に含まれる前記ユーザーの第１部分の識別情報は、前記ユーザー装置が前記ＮＲ−ＰＤＳＣＨが前記ユーザー装置へのものであるかどうかを判断するために用いられる。
【００７８】
一例では、前記第２情報が、前記ＮＲ−ＰＤＳＣＨで伝送されるＲＲＣシグナリングに搬送される。
【００７９】
それで分かるように、本技術案では、ネットワーク装置はユーザー装置の一部分の識別情報をＰＤＣＣＨで直接送信又は間接送信し、次にＰＤＳＣＨでユーザー装置の一部の識別情報のみを送信し、ＰＤＳＣＨで完全なユーザー装置の識別情報を送信する従来技術に比べて、本技術案は、ＮＲ−ＰＤＳＣＨの搬送する必要があるｂｉｔ数を減少させることができ、さらにシグナリングのオーバーヘッドを低減させる。
【００８０】
図５に示すように、図５は本実施例に係るユーザー装置５００の構造概略図である。該ユーザー装置５００は、処理ユニット５０１、通信ユニット５０２、及び記憶ユニット５０３を備え、
前記処理ユニット５０１は、前記通信ユニット５０２によって物理ダウンリンク制御チャネル（ＮＲ−ＰＤＣＣＨ）を監視して、前記ＮＲ−ＰＤＣＣＨで伝送された第１情報を得るように構成され、前記第１情報が、前記ユーザー装置が前記ＮＲ−ＰＤＣＣＨが前記ユーザー装置へのものであるかどうかを判断することに用いられ、
前記処理ユニット５０１は、前記ＮＲ−ＰＤＣＣＨが前記ユーザー装置へのものである場合、前記通信ユニット５０２によって物理ダウンリンク共有チャネル（ＮＲ−ＰＤＳＣＨ）を監視して、前記ＮＲ−ＰＤＳＣＨで伝送された第２情報を得るようにさらに構成され、前記第２情報がユーザー装置の第１部分の識別情報を含む。
【００８１】
処理ユニット５０１は、プロセッサ又は制御装置（たとえば、中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はその任意の組み合わせとすることができる。それは、本発明で開示する内容を組み合わせて説明した各種の例示的な論理ブロック図、モジュール及び回路を実現又は実行することができる。前記プロセッサは、１つ又は複数のマイクロプロセッサーの組み合わせ、ＤＳＰとマイクロプロセッサーとの組み合わせなどのコンピューティング機能を実現する組み合わせとすることができる）とすることができる。通信ユニット５０２は、送受信機、トランシーバー回路、無線周波数チップ、通信インタフェース等とすることができ、記憶ユニット５０３はメモリとすることができる。
【００８２】
処理ユニット５０１がプロセッサであり、通信ユニット５０２が通信インタフェースであり、記憶ユニット５０３がメモリである場合、本発明の実施例に係るユーザー装置は図３に示されるユーザー装置とすることができる。
【００８３】
図６に示すように、図６は本実施例に係るネットワーク装置６００の構造概略図である。該ネットワーク装置６００は、処理ユニット６０１、通信ユニット６０２、及び記憶ユニット６０３を備える。
【００８４】
前記処理ユニット６０１は、ユーザー装置が前記ＮＲ−ＰＤＣＣＨが前記ユーザー装置へのものであるかどうかを判断する第１情報を、通信ユニット６０２によって物理ダウンリンク制御チャネル（ＮＲ−ＰＤＣＣＨ）で伝送するように構成される。
【００８５】
前記処理ユニット６０１は、ユーザー装置の第１部分の識別情報を含む第２情報を、通信ユニット６０２によって物理ダウンリンク共有チャネル（ＮＲ−ＰＤＳＣＨ）で伝送するようにさらに構成される。
【００８６】
処理ユニット６０１はプロセッサ又は制御装置（たとえば、中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又は他の任意の組み合わせとすることができる。それは、本発明で開示する内容を組み合わせて説明した各種の例示的な論理ブロック図、モジュール及び回路を実現又は実行することができる。前記プロセッサは、１つ又は複数のマイクロプロセッサーの組み合わせ、ＤＳＰとマイクロプロセッサーとの組み合わせなどのコンピューティング機能を実現する組み合わせとすることができる）とすることができる。通信ユニット６０２は、送受信機、トランシーバー回路、無線周波数チップ、通信インタフェース等とすることができ、記憶ユニット６０３はメモリとすることができる。
【００８７】
処理ユニット６０１がプロセッサであり、通信ユニット６０２が通信インタフェースであり、記憶ユニット６０３がメモリである場合、本発明の実施例に係るネットワーク装置は図４に示すネットワーク装置とすることができる。
【００８８】
本発明の実施例は別のユーザー装置をさらに提供し、図７に示すように、説明の便宜上、本発明の実施例に関連する部分のみを示し、具体的な技術的詳細が開示されておらず、本発明の実施例の方法部分を参照することができる。該ユーザー装置は、携帯電話、タブレットＰＣ、ＰＤＡ（パーソナルデジタルアシスタント：Ｐｅｒｓｏｎａｌ  Ｄｉｇｉｔａｌ  Ａｓｓｉｓｔａｎｔ）、ＰＯＳ（販売端末：Ｐｏｉｎｔ  ｏｆ  Ｓａｌｅｓ）、カーコンピューター等の任意のユーザー装置とすることができ、ユーザー装置が携帯電話であることを例とする。
【００８９】
図７は本発明の実施例に係るユーザー装置に関連する携帯電話の一部の構造のブロック図である。図７に示すように、携帯電話は、無線周波数（ＲＦ：Ｒａｄｉｏ  Ｆｒｅｑｕｅｎｃｙ）回路９１０、メモリ９２０、入力ユニット９３０、表示ユニット９４０、センサ９５０、オーディオ回路９６０、無線フィデリティ（ＷｉＦｉ：Ｗｉｒｅｌｅｓｓ  Ｆｉｄｅｌｉｔｙ）モジュール９７０、プロセッサ９８０、及び電源９９０等の部材を備える。当業者は、図７に示される携帯電話構造は、携帯電話の制限を構成せず、図示より多く又は少ない部材、又はいくつかの部材の組み合わせ、又は異なる部材の配置を含んでもよい。
【００９０】
以下、図７を参照しながら携帯電話の各構成部材を具体的に説明する。
【００９１】
ＲＦ回路９１０は情報を送受信するように構成される。通常、ＲＦ回路９１０は、アンテナ、少なくとも１つの増幅器、トランシーバー、カプラー、低雑音増幅器（ＬＮＡ：Ｌｏｗ  Ｎｏｉｓｅ  Ａｍｐｌｉｆｉｅｒ）、デュプレクサ等を含むがこれに限定されない。また、ＲＦ回路９１０は、無線通信を介してネットワーク及び他の装置と通信することができる。上記無線通信は、モバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）等を含むがこれに限定されない任意の１つの通信規格又はプロトコルを使用することができる。
【００９２】
メモリ９２０は、ソフトウェアプログラム及びモジュールを記憶するように構成され、プロセッサ９８０は、メモリ９２０に記憶されるソフトウェアプログラム及びモジュールを運転することにより、携帯電話の各種の機能的アプリケーション及びデータ処理を実行する。メモリ９２０は主にプログラム記憶領域及びデータ記憶領域を含むことができ、プログラム記憶領域はオペレーティングシステム、少なくとも１つの機能に必要なアプリケーションプログラム等を記憶することができ、データ記憶領域は携帯電話の使用に基づいて作成されたデータ等を記憶することができる。また、メモリ９２０は、高速ランダムアクセスメモリを含むことができ、少なくとも１つの磁気ディスク記憶デバイス、フラッシュメモリデバイス、又は他の揮発性固体記憶デバイスなどの不揮発性メモリを含んでもよい。
【００９３】
入力ユニット９３０は、入力された数字又は文字情報を受信し、及び携帯電話のユーザー設定及び機能制御に関連する信号入力を生成するように構成される。具体的には、入力ユニット９３０は指紋識別モジュール９３１及び他の入力装置９３２を備えることができる。指紋識別モジュール９３１は、その上でのユーザーの指紋データを収集することができる。指紋識別モジュール９３１以外、入力ユニット９３０は、他の入力装置９３２を備えてもよい。具体的には、他の入力装置９３２は、タッチスクリーン、物理キーボード、ファンクションキー（たとえば、音量調節ボタン、スイッチボタンなど）、トラックボール、マウス、操作レバー等のうちの一種又は複数種を含むがこれに限定されない。
【００９４】
表示ユニット９４０は、ユーザーにより入力された情報又はユーザーに提供された情報及び携帯電話の各種のメニューを表示するように構成される。表示ユニット９４０は、ディスプレイスクリーン９４１を含むことができ、あるいは、液晶ディスプレイ（、ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）等の形式でディスプレイスクリーン９４１を構成することができる。図７において、指紋識別モジュール９３１とディスプレイスクリーン９４１は２つの別個の部材として携帯電話の入力及び入力機能を実現するが、いくつかの実施例では、指紋識別モジュール９３１とディスプレイスクリーン９４１を統合して携帯電話の入力及び再生機能を実現することもできる。
【００９５】
携帯電話は、光センサ、運動センサ及び他のセンサなどの少なくとも１種のセンサ９５０をさらに備えてもよい。具体的には、光センサは、環境光センサ及び近接センサを含むことができ、環境光センサは環境光の明るさに従ってディスプレイスクリーン９４１の輝度を調節し、近接センサは携帯電話が耳に移動した場合、ディスプレイスクリーン９４１及び／又はバックライトを閉じることができる。加速計センサは、運動センサの一種として、各方向（一般的には三軸である）での加速度の大きさを検出することができ、静止しているときに重力の大きさ及び方向を検出することができ、携帯電話の姿勢の応用（たとえば、水平及び垂直画面の切り替え、関連するゲーム、磁力計の姿勢校正）、振動識別の関連する機能（たとえば、歩数計、タップ）等を識別するように構成される。携帯電話に構成可能なジャイロスコープ、気圧計、湿度計、温度計、赤外線センサ等の他のセンサについては、ここで詳しく説明しない。
【００９６】
オーディオ回路９６０、スピーカ９６１、マイクロフォン９６２は、ユーザーと携帯電話との間の音声インタフェースを提供することができる。オーディオ回路９６０は受信されたオーディオデータの変換された電気信号をスピーカ９６１に伝送し、スピーカ９６１により音声信号に変換して再生することができる。一方、マイクロフォン９６２は収集された音声信号を電気信号に変換し、オーディオ回路９６０により受信された後オーディオデータに変換し、次にオーディオデータ再生プロセッサ９８０により処理されて、ＲＦ回路９１０を介して、たとえば、別の携帯電話に送信し、又はオーディオデータをメモリ９２０に再生して更なる処理を行う。
【００９７】
ＷｉＦｉは短距離無線伝送技術に属し、ＷｉＦｉモジュール９７０を介して、携帯電話はユーザーの電子メールの送受信、ウェブページの閲覧及びストリームメディアへのアクセス等を支援することができ、無線ブロードバンドインターネットアクセスをユーザーに提供する。図７がＷｉＦｉモジュール９７０を示しているが、それが携帯電話の不可欠な構成に属しておらず、需要に応じて発明の本質を変更しない範囲内で省略することができることを理解できる。
【００９８】
プロセッサ９８０は、携帯電話の制御センターであって、各種のインタフェース及び回線を利用して携帯電話全体の各部分に接続され、メモリ９２０に記憶されるソフトウェアプログラム及び／又はモジュールを運転又は実行して、且つメモリ９２０に記憶されるデータを呼び出して、携帯電話の各種の機能及び処理データを実行することにより、携帯電話を全体的に監視する。あるいは、プロセッサ９８０は１つ又は複数の処理ユニットを含むことができ、好ましくは、プロセッサ９８０はアプリケーションプロセッサ及びモデムプロセッサを統合することができ、アプリケーションプロセッサは主にオペレーティングシステム、ユーザーインタフェース及びアプリケーションプログラム等を処理し、モデムプロセッサは主に無線通信を処理する。上記モデムプロセッサがプロセッサ９８０に統合されなくてもよいことを理解できる。
【００９９】
携帯電話は、各部材に給電する電源９９０（たとえば、電池）をさらに備え、好ましく、電源は電源管理システムを介してプロセッサ９８０に論理的に接続することができ、それにより、電源管理システムによって充電、放電の管理、及び電力管理等の機能を実現することができる。
【０１００】
図示されていないが、携帯電話はカメラ、ブルートゥースモジュール等をさらに備えることができ、ここで詳しく説明しない。
【０１０１】
上記図２に示される実施例では、各ステップ方法におけるユーザー装置側のプロセスが該携帯電話の構造に基づき実現することができる。
【０１０２】
上記図５に示される実施例では、各ユニットの機能は該携帯電話の構造に基づき実現することができる。
【０１０３】
本発明の実施例はコンピュータ可読記憶媒体をさらに提供し、コンピュータに上記方法実施例におけるユーザー装置の説明したステップの一部又は全てを実行させる電子データ交換用のコンピュータプログラムを記憶する。
【０１０４】
本発明の実施例はコンピュータ可読記憶媒体をさらに提供し、コンピュータに上記方法実施例におけるネットワーク装置の説明したステップの一部又は全てを実行させる電子データ交換用のコンピュータプログラムを記憶する。
【０１０５】
本発明の実施例はコンピュータプログラム製品をさらに提供し、コンピュータプログラムが記憶される非一時的なコンピュータ可読記憶媒体を備え、前記コンピュータプログラムが、コンピュータに上記方法におけるユーザー装置の説明したステップの一部又は全てを実行させるように動作することができる。該コンピュータプログラム製品は１つのソフトウェアインストールパッケージとすることができる。
【０１０６】
本発明の実施例はコンピュータプログラム製品をさらに提供し、コンピュータプログラムが記憶される非一時的なコンピュータ可読記憶媒体を備え、前記コンピュータプログラムが、コンピュータに上記方法実施例におけるネットワーク装置の説明したステップの一部又は全てを実行させるように動作することができる。該コンピュータプログラム製品は１つのソフトウェアインストールパッケージとすることができる。
【０１０７】
本発明の実施例で説明した方法又はアルゴリズムのステップが、ハードウェアの方式で実現されてもよく、プロセッサによってソフトウェア命令を実行する方式で実現されてもよい。ソフトウェア命令は対応するソフトウェアモジュールで構成され、ソフトウェアモジュールが、ランダムアクセスメモリ（ＲＡＭ：Ｒａｎｄｏｍ  Ａｃｃｅｓｓ  Ｍｅｍｏｒｙ）、フラッシュメモリ、読み取り専用メモリ（ＲＯＭ：Ｒｅａｄ  Ｏｎｌｙ  Ｍｅｍｏｒｙ）、消去可能なプログラマブル読み取り専用メモリ（ＥＰＲＯＭ：Ｅｒａｓａｂｌｅ  Ｐｒｏｇｒａｍｍａｂｌｅ  ＲＯＭ）、電気的消去可能なプログラマブル読み取り専用メモリ（ＥＥＰＲＯＭ：Ｅｌｅｃｔｒｉｃａｌｌｙ  ＥＰＲＯＭ）、レジスタ、ハードディスク、ポータブルハードディスク、読み取り専用のディスク（ＣＤ−ＲＯＭ）又は本分野の知られている任意の他の形式の記憶媒体に記憶されてもよい。例示的な記憶媒体がプロセッサに結合されることにより、プロセッサは、該記憶媒体から情報を読み取ることができると同時に、該記憶媒体に情報を書き込むことができる。勿論、記憶媒体は、プロセッサの構成部分であってもよい。プロセッサ及び記憶媒体は、ＡＳＩＣに位置することができる。また、該ＡＳＩＣは、アクセスネットワーク装置、ターゲットネットワーク装置又はコアネットワーク装置に位置することができる。勿論、プロセッサ及び記憶媒体は、個別のユニットとしてアクセスネットワーク装置、ターゲットネットワーク装置又はコアネットワーク装置に存在してもよい。
【０１０８】
当業者は、上記１つ又は複数の例では、本発明の実施例が説明した機能が、ソフトウェア、ハードウェア、ファームウェア又は他の任意の組み合わせによって全体又は部分的に実現できることを理解すべきである。ソフトウェアで実現する場合、コンピュータプログラム製品の形式で全体又は部分的に実現することができる。前記コンピュータプログラム製品は１つ又は複数のコンピュータ命令を含む。コンピュータに前記コンピュータプログラム命令をアップロードし実行すると、本発明の実施例に記載のプロセス又は機能を全体又は部分的に発生させる。前記コンピュータは、汎用コンピュータ、専用コンピュータ、コンピュータネットワーク、又は他のプログラム可能な装置とすることができる。前記コンピュータ命令は、コンピュータ可読記憶媒体に記憶されてもよく、又は１つのコンピュータ可読記憶媒体から別のコンピュータ可読記憶媒体へ伝送され、たとえば、前記コンピュータ命令が１つのウェブサイトサイト、コンピュータ、サーバ又はデータセンターから有線（たとえば同軸ケーブル、光ファイバー、デジタル加入者線（ＤＳＬ：ｄｉｇｉｔａｌ  ｓｕｂｓｃｒｉｂｅｒ  ｌｉｎｅ））又は無線（たとえば赤外線、ワイヤレス、マイクロ波など）の方式で別のウェブサイトサイト、コンピュータ、サーバ又はデータセンターへ伝送されてもよい。前記コンピュータ可読記憶媒体は、コンピュータがアクセス可能な任意の利用可能な媒体であってもよく、又は１つ又は複数の利用可能な媒体を含むサーバ、データセンターなどのデータ記憶装置であってもよい。前記利用可能な媒体は、磁気媒体（たとえば、フロッピーディスク、ハードディスク、磁気テープ）、光学媒体（たとえばデジタルビデオディスク（ＤＶＤ：ｄｉｇｉｔａｌ  ｖｉｄｅｏ  ｄｉｓｃ））、又は半導体媒体（たとえばソリッドステートディスク（ＳＳＤ：ｓｏｌｉｄ  ｓｔａｔｅ  ｄｉｓｋ））などとすることができる。
【０１０９】
以上に記載の具体的な実施形態は、本発明の実施例の目的、技術案及び有益な効果をより詳細に説明したが、以上の内容は本発明の実施例の具体的な実施形態に過ぎず、本発明の実施例の保護範囲を限定するものではなく、本発明の実施例の技術案に基づいて行った全ての修正、等価置換、改良等は、いずれも本発明の実施例の保護範囲内に属するべきである。
【図１】
0006935516.tif 000002
【図２】
0006935516.tif 000003
【図３】
0006935516.tif 000004
【図４】
0006935516.tif 000005
【図５】
0006935516.tif 000006
【図６】
0006935516.tif 000007
【図７】
0006935516.tif 000008